(57)【要約】【課題】  本発明は、単純な形状でありながら、組合せるには難しさがあり、楽しく遊べるパズルを提供しようとするものである。また、製造が容易で安価なパズルを提供しようとするものである。【解決手段】  タイル型の小片を組合せる組合せパズルであって、全部のタイルを組合せた全体形状が板状の４辺形になるパズルにおいて、タイルの表面、裏面、４つの側面には、タイルの組合せのヒントとなる印刷、塗装、貼付け、手書き、焼き付け表示、凹凸加工、エンボス加工、反射率調整などの人工的なグラフィックスが無く、少なくとも１回、四辺形の４辺の内、対向する２辺を切断するように直線的に切り出してあり、素材が木もしくは、形状の違うタイルが少なくとも一組あるようにする。【選択図】図１
2017176729.tif 000002
【特許請求の範囲】
【請求項１】
タイル型の小片を組合せる組合せパズルであって、全部のタイルを組合せた全体形状が板状の４辺形になるパズルにおいて、
タイルの表面、裏面、４つの側面には、タイルの組合せのヒントとなる印刷、塗装、貼付け、手書き、焼き付け、刻印、レーザー加工、凹凸加工、エンボス加工、反射率調整などの人工的なグラフィックスが無く、
少なくとも１回、四辺形の４辺の内、対向する２辺を切断するように切り出してあり、
素材にはテクスチャーがあるか、もしくは形状の違うタイルが少なくとも一組あることを特徴とするタイル型組合せパズル。
【請求項２】
タイルの素材が木であることを特徴とする、請求項１に記載のタイル型組合せパズル。
【請求項３】
タイルを切り出す線が、タイルを組合せた四辺形の下辺に対して、直角でない直線、もしくは平行でない直線が１本以上あることを特徴とした、請求項１に記載の、タイル型組合せパズル。
【請求項４】
タイルを切り出す線が直線であることを特徴とした、請求項１、請求項２、請求項３に記載の、タイル型組合せパズル。
【発明の詳細な説明】
【技術分野】
【０００１】
本発明は、タイル型の小片を組合せるパズルに関する。
【背景技術】
【０００２】
タイル型の小片を組合せるパズルは、従来から数多くあったが、全ての小片が４辺形でかつ、タイルの組合せのヒントとなる印刷、塗装、貼付け、手書き、焼き付け、刻印、レーザー加工、凹凸加工、エンボス加工、反射率調整などの人工的なグラフィックスが施されていない物はなかった。
【先行技術文献】
【特許文献】
【０００３】
【特許文献１】特開２００２−１１２４０
【特許文献２】実開Ｓ５９ー１６４６８５
【発明の概要】
【発明が解決しようとする課題】
【０００４】
本発明は、単純な形状でありながら、組合せるには難しさがあり、楽しく遊べるパズルを提供しようとするものである。また、製造が容易で安価なパズルを提供しようとするものである。
【課題を解決するための手段】
【０００５】
本発明は、タイル型の小片（以下「タイル」と称する）を組合せる組合せパズルである。全部のタイルを組合せた全体形状は、板状の四辺形である。四辺形からタイルを切り出す方法は、四辺形の４辺の内、対向する２辺をわたるように切断するものである。
ここで「切り出す」という場合は、実際に鋸やナイフを使って切ることだけを言うのではなく、四辺形の板状のものを正面図上の線で切り分けることを言い、タイルに分割するように製造することも含めて言う。
切り出すタイルの大きさに大きな差が出ないように切り出すほうが、パズルとしては難しくなる。
切り出す線数は、１本以上であればよいが、現実的なパズルとしては、縦横それぞれ４〜５本以下で、多くても縦横それぞれ２０本以下である。
【０００６】
最初に切り出した、対向する２辺とは別の対向する２辺も同様に切り出すことで、タイルの数を増やすことができる。このとき最初の対向する２辺にかかる切り出しにより生じる切断巾（鋸で切断する場合は、その鋸の挽き巾）を詰めて、板状の塊としてから、残りの対向する２辺にかかるほうを切り出すのがよい。
【０００７】
タイルの表面、裏面、４つの側面には、タイルの説明や、名前、ブランド名などの記載などを除き、タイルの組合わせのヒント（手がかり）となる印刷、塗装、貼付け、手書き、焼き付け、凹凸加工、エンボス加工、反射率調整など人工的なグラフィックス（情報）は入れない。
これは、シンプルで美しいだけでなく、組合せに供する情報を少なくし、より面白いパズルとして機能させるためのものである。
先行技術文献の、特開２００２−１１２４０、および実開Ｓ５９ー１６４６８５には共に、組合せのヒントとするグラフックスが施してあり、組合せが容易となっているだけでなく、パズルのシンプルな美しさを損なっている。
【０００８】
素材が木の場合は木目などがあるので必要ないが、樹脂や紙など組合せに素材のテクスチャー（材料の表面の視覚的な色や明るさの均質さ、触覚的な比力の強弱を感じる凹凸といった部分的変化を、全体的にとらえた特徴、材質感覚、効果）が活かせない場合は、切り出したときにできる形の違いを、組合せのときのヒントにする。
素材のテクスチャーが活かせない場合で、かつ同形状のタイルがある場合は、同形状のタイルを交換しても組合せることができる。この場合組合せが容易になる分、パズルとしての醍醐味は小さくなる。
なお、素材のテクスチャーが活かせない場合で、全てのタイルが同形状の場合は、どのようにも四辺形に組合せられるので、本組合せパズルとしては成立しない。
なお、木の切断面には木のテクスチャーが必ずある。
【発明の効果】
【０００９】
本発明によるパズルは、単純な形であり、かつ組みわせのためのグラフックスが無いこと、かつ組合せの正否が明快であるため、乳児から高齢者まで楽しむことができる。また、グラフックスが無いことから何度組合せても飽きることや慣れることがあまり無い。
また、単純な形で、木材を一般的な丸鋸で切断し作ることができるので、少量生産でも安価につくることができる。
【図面の簡単な説明】
【００１０】
【図１】本考案の、タイル４個を組合せた四辺形のパズルの正面図。
【図２】本考案の、タイル４個を組合せた四辺形のパズルの正面図。
【図３】本考案の、タイル４個を組合せた平行四辺形のパズルの正面図。
【図４】本考案の、タイル４個を組合せた四辺形のパズルの正面図。
【図５】本考案の、タイル４個を組合せた四辺形のパズルの正面図。
【図６】［Ａ］は本考案のタイル２個を組合せた四辺形の正面図、［Ｂ］は底面図である。
【図７】［Ａ］は本考案のタイル２個を組合せた四辺形の正面図、［Ｂ］は底面図である。
【図８】本考案の、タイル２５個を組合せた四辺形の正面図。グレイの模様は木目を表している。
【図９】本考案の、タイル２０個を組合せた四辺形の正面図。グレイの模様は木目を表している。
【図１０】本考案の、タイル２５個を組合せた四辺形の正面図。グレイの模様は木目を表している。
【図１１】本考案の、タイル２５個を組合せた四辺形の正面図。
【図１２】本考案の、タイル２５個を組合せた四辺形の正面図。
【実施例】
【００１１】
図１に本発明の実施例１を示す。４つのタイルｔを組合せた全体の四辺形は正方形である。切り出し線ｃｖ1は縦に下辺ｓｈ２に対して直角に１本、切り出し線ｃｈ1は横に下辺ｓｈ２に対して平行に１本ある。切り出し線によって切り出された４つのタイルｔは、何れも正方形であるため、素材は木としている。あるタイルｔの一辺に他のタイルｔが組合うかどうかチェックするには、タイルｔの４辺と裏表のチェックで、最多は５６回のチェックが必要である。正しい組合せは１組みだけである。
以下「垂直」というときは、組合せた四辺形の下辺ｓｈ２に対して直角であることを、「水平」というときは、組合せた四辺形の下辺ｓｈ２に対して平行であること表す。また、「縦」とは組合せた四辺形の下辺ｓｈ２に対して直角方向であることを、また「横」とは組合せた四辺形の下辺ｓｈ２に対して水平方向であることを表している。
【００１２】
図２に本発明の実施例２を示す。４つのタイルｔを組合せた全体の形は正方形である。縦の１本の切り出し線ｃｖ１は傾いており、垂直ではない。横の１本の切り出し線ｃｈ１も傾いており水平ではない。
切り出し線ｃｖ１は全体形の右寄りにあるため、４つのタイルｔは全て異なる形であり、正しい組合せは１組みだけである。
【００１３】
図３に本発明の実施例３を示す。４つのタイルｔを組合せた全体の形は平行四辺形である。タイルｔ１とタイルｔ４、タイルｔ２とタイルｔ３は同形状であるため何通りかの組合せ方がある。しかし、タイルｔの裏表が逆になると組み合わせることができないため、一見簡単そうに見えるが３〜４歳の幼児には難しい。
素材が木になると、木のテクスチャー（木目）により、同じ形であっても組み替えることはできず、正しい組合せは１組みだけとなる。
【００１４】
図４に本発明の実施例４を示す。４つのタイルｔを組合せた全体の形は不等辺四角形である。４つのタイルｔはいずれも異なる形で、裏返しにしても同じ形にはならない。従って、正しい組合せは１組みだけとなる。
【００１５】
図５に本発明の実施例５を示す。４つのタイルｔを組合せた全体の形は正方形である。縦の切り出し線ｃｖ１および横の切り出し線ｃｈ１は緩やかな曲線で、４つのタイルｔはいずれも異なる形となっている。裏返しにしても同じ形にはならない。従って、正しい組合せは１組みだけとなる。
なおタイルｔの四辺には緩やかな曲線が含まれているが、このタイルｔも四辺形とみなす。
【００１６】
図６に本発明の実施例６を示す。２つのタイルｔを組合せた全体の形は正方形である。素材は木で、タイルｔ１には、ラベルＬが貼ってある。
用途はパズルと言うよりは、組合せグッズに近い。ラベルＬ１には、タイル素材である木の名前、種類、分類名、性質、比重、硬さ、用途、特徴や商品名、ブランド名、連絡先など記載している。ラベルＬ１の代わりに、これらの情報をタイルｔ１に直接印刷や彫刻、レーザーの焼き付けなどにより記載しても良い。
同じ素材でタイルが２枚あるため、タイルｔ１を回答用とし、タイルｔ２を問題用として、タイルｔ２だけを見せて木の名前を答えさせる学習ゲームにもなる。
またタイルｔ１は保管用とし、タイルｔ２を木材説明用の木片とするような使用であると、ラベルＬ１の剥がれや汚れも少なくできる。
なお、タイルｔ１とタイルｔ１の組合せ方は、形だけでみると４通りあるが、テクスチャーを入れると１通りしかない。
【００１７】
図７に本発明の実施例７を示す。２つのタイルｔを組合せた全体の形は正方形である。切り出し線ｃｖ１は正面図［Ａ］では実施例６と同じであるが、底面図［Ｂ］で明らかなように、タイルの厚み方向の垂線に対して、傾いている。これにより、組合せ方は、形によるものでも１通りであるため、素材が木でなくてもパズルとして成立する。
組合せた時の外形が同で、切り出し線の位置や角度、厚み方向の角度を変えたものを何組か用意し、貝合わせにようなパズルを作ることもできる。
【００１８】
図８に本発明の実施例８を示す。
タイル２５個を組合せた四辺形は正方形で、切り出し線ｃｖ１〜ｃｖ４は縦に垂直に等間隔に４本、切り出し線ｓｖ１〜ｓｖ４は横に水平に等間隔に４本、素材は木である。実際に切り出す際も、１枚の板をそのまま切り出し線で切り出す。
切り出された２５個のタイルはいずれも正方形であるため、組合せるには形でなく木目による必要がある。
隣り合うタイルは木目も似通ったものが多く、裏表の見極めも必要なため、組合せには時間を要する。
【００１９】
図９に本発明の実施例９を示す。
タイル２５個を組合せた四辺形は正方形で、切り出し線ｃｖ１〜ｃｖ４は縦に垂直に等間隔に４本、切り出し線ｓｖ１〜ｓｖ３は横に水平に等間隔に３本、素材は木である。
切り出された２０個のタイルはいずれも同じ大きさの長方形であるため、組合せるには形でなく木目による必要がある。
隣り合うタイルは木目も似かよったものが多く、裏表の見極めも必要なため、組合せには時間を要するが、タイルの形が長方形であるため、実施例８のものと比べ、おおよそ半分の時間で組合せることができる。
【００２０】
図１０に本発明の実施例１０を示す。
タイル２５個を組合せた四辺形は正方形で、切り出し線ｃｖ１〜ｃｖ４は縦に垂直ではあるが等間隔ではない。切り出し線ｓｖ１〜ｓｖ４は横に水平ではあるが、これも等間隔ではない。
切り出された２５個のタイルは３種類の大きさとなっている。タイルｔ１、ｔ３、ｔ５、ｔ１１、ｔ２１などは正方形で、３種類の中で一番小さい。タイルｔ２、ｔ４、ｔ６、ｔ１６などは長方形で、３種類の中で中間の大きさである。タイルｔ７、ｔ９、ｔ１７、ｔ１９は正方形で、３種類の中で一番大きい。
同じ大きさのタイルがあるため、組合せるには形でなく木目による必要がある。
タイルの形が長方形のものもあるが正方形のものもあるため、実施例７や実施例８とも違った難しさ、楽しさが味わえる。
【００２１】
図１１に本発明の実施例１１を示す。
タイル２５個を組合せた四辺形は正方形で、縦の切り出し線ｃｖ１〜ｃｖ４は下辺ｓｈ2に対して垂直である。横方向の切り出し線ｓｖ１〜ｓｖ４は水平線に対して少し傾いている。
切り出し線の入れ方によっては、全く同じ大きさ、形のタイルができる場合もあるが、本実施例では、全てのタイルが異なる形となっている。
【００２２】
図１２に本発明の実施例１２を示す。
タイル２５個を組合せた四辺形は正方形で、縦の切り出し線ｃｖ1〜ｃｖ4は垂直から少し傾いている。横方向の切り出し線ｓｖ1〜ｓｖ4は水平から少し傾いている。
切り出し線の入れ方によっては、全く同じ大きさ、形のタイルができる場合もあるが、本実施例では、全てのタイルが異なる形となっている。
【符号の説明】
【００２３】
ｔ    タイル
ｓｈ１    ４辺形に組み合わせたパズルの上辺
ｓｈ２    ４辺形に組み合わせたパズルの下辺
ｓｖ１    ４辺形に組み合わせたパズルの左辺
ｓｖ２    ４辺形に組み合わせたパズルの右辺
ｃｖ    縦の切り出し線
ｃｈ    横の切り出し線
Ｌ1    ラベル
【図１】
2017176729.tif 000003
【図２】
2017176729.tif 000004
【図３】
2017176729.tif 000005
【図４】
2017176729.tif 000006
【図５】
2017176729.tif 000007
【図６】
2017176729.tif 000008
【図７】
2017176729.tif 000009
【図８】
2017176729.tif 000010
【図９】
2017176729.tif 000011
【図１０】
2017176729.tif 000012
【図１１】
2017176729.tif 000013
【図１２】
2017176729.tif 000014